(57)【特許請求の範囲】
【請求項１】
文字情報であるコンテンツを取得するコンテンツ取得部、
前記コンテンツ取得部が取得した前記コンテンツの見出し一覧を表現者端末へ送信し、
前記表現者端末より、前記見出し一覧の中から選択されたコンテンツの本文データの要求があった場合に、前記コンテンツの本文データを前記表現者端末に送信するコンテンツ送信部、
選択された前記コンテンツの内容を音声で表現した音声データを前記表現者端末より受信する音声データ受信部、及び
同一の前記コンテンツに対して、２以上の前記音声データを関連付け、記憶装置へ送信して登録する制御部を有する、データ処理装置。
【請求項２】
同一の前記コンテンツに関連付けられた２以上の前記音声データが、異なる前記表現者端末より送信された異なる表現者によって表現されている音声データである、請求項１に記載のデータ処理装置。
【請求項３】
ユーザ端末から、前記音声、前記コンテンツ及び／又は前記表現者を特定する選択情報を受信する選択情報受信部、並びに取得した音声データをユーザ端末に送信する配信データ配信部を有する、請求項１又は２に記載のデータ処理装置。
【請求項４】
前記コンテンツが、時事、学習、文学、コラム及び／又は漫画に関する情報を含む、請求項１〜３のいずれか一項に記載のデータ処理装置。
【請求項５】
前記音声データは、前記コンテンツが要約されているダイジェストである、請求項１〜４のいずれか一項に記載のデータ処理装置。
【請求項６】
前記音声データが、前記コンテンツの発行から２４時間以内に配信される、請求項１〜５のいずれか一項に記載のデータ処理装置。
【請求項７】
第１のサーバ及び第２のサーバを含むデータ配信システムであって、
前記第１のサーバが、文字情報であるコンテンツを取得するコンテンツ取得手段、
前記コンテンツ取得部が取得した前記コンテンツの見出し一覧を表現者端末に送信し、
前記表現者端末より、前記見出し一覧の中から選択されたコンテンツの本文データの要求があった場合に、前記コンテンツの本文データを前記表現者端末に送信するコンテンツ送信手段、
選択された前記コンテンツの内容を音声で表現した音声データを前記表現者端末より受信する音声データ受信手段、及び
同一の前記コンテンツに対して、２以上の前記音声データを関連付ける関連付け手段、を有し、
前記第２のサーバが、前記２以上の音声データから少なくとも１の音声データを配信する配信データ配信手段を有する、前記データ配信システム。
【請求項８】
前記２以上の音声データが、異なる表現者によって表現され、異なる表現者端末より受信した音声データである、請求項７に記載のデータ配信システム。
【請求項９】
異なる表現者によって表現された前記２以上の音声データを記憶する記憶装置を含む、請求項７又は８に記載のデータ配信システム。
【請求項１０】
文字情報であるコンテンツを取得するコンテンツ取得工程、
前記コンテンツ取得工程で取得した前記コンテンツの見出し一覧を表現者端末へ送信する見出し一覧送信工程、
前記見出し一覧の中から選択されたコンテンツの本文データの要求があった場合に、前記コンテンツの本文データを前記表現者端末へ送信するコンテンツ送信工程、
選択された前記コンテンツの内容を音声で表現した音声データを前記表現者端末より受信する音声データ受信工程、
取得した同一の前記コンテンツに対して、２以上の音声データを関連付ける関連付け工程、及び
前記２以上の音声データから少なくとも１の音声データを配信する配信データ配信工程
を含む、データ配信方法。
【請求項１１】
前記２以上の音声データが、異なる表現者によって表現され、異なる表現者端末より受信した音声データである、請求項１０に記載のデータ配信方法。
【請求項１２】
前記コンテンツが、時事、学習、文学、コラム及び／又は漫画に関する情報を含む、請求項１０又は１１に記載のデータ配信方法。
【請求項１３】
前記音声データが、文字情報の発行から２４時間以内に配信される、請求項１０〜１２のいずれか一項に記載のデータ配信方法。
【発明の詳細な説明】
【技術分野】
【０００１】
本発明は、データ処理装置、データ配信システム、及びデータ配信方法に関する。
【背景技術】
【０００２】
近年、新聞や雑誌等について、インターネットを介して配信する装置やシステムが広く利用されるようになった。また、文字等のコンテンツについても、音声データとして配信する装置等が開発されている。
【０００３】
例えば、特許文献１及び２には、新聞、雑誌等の出版物をコンテンツとして、通信ネットワークを介して配信を行う出版物発行配信システムが開示されている。
また、特許文献３には、電子新聞を短時間に音声録音再生装置に記録して配信する音声情報配信システムが開示されている。そして、特許文献４には、出版物の朗読コンテンツ配信システムが開示され、特許文献５には、複数のキャラクタに複数の朗読者の音声を対応付ける電子書籍装置が開示されている。
【先行技術文献】
【特許文献】
【０００４】
【特許文献１】特開２００６−１８９９３６号公報
【特許文献２】特開２００６−２９３９３９号公報
【特許文献３】特開平９−１９８０７６号公報
【特許文献４】特開２００７−２６４８７３号公報
【特許文献５】特許第４７２９１７１号公報
【発明の概要】
【発明が解決しようとする課題】
【０００５】
しかしながら、従来の音声コンテンツ配信方法においては、コンテンツの内容や、利用者の好み、履歴等に応じて、複数の朗読者の中から特定の朗読者を自由に選択することはできなかった。また、新聞記事のような客観的な情報が求められるコンテンツについては、あえて多数の朗読者によって異なった声や表現方法で情報を発信するという考えがなく、コンテンツを読み上げる音声は単に情報を伝える手段にすぎなかった。
【０００６】
さらに、従来の新聞やテレビのメディアコンテンツの発信は、図１Ａに示すように、１つのコンテンツを１人の表現者（例えば、アナウンサー）が表現して発信することが多かった。その一方で、ソーシャルメディアでは、図１Ｂに示すように、雑多なコンテンツの中から、各々の表現者がそれぞれ自由に表現し、発信するという形態であった。
そのため、特定のコンテンツの正確な情報を維持しつつも、多数の表現者が自由に表現できるようなメディアコンテンツ配信システムは存在しなかった。
【０００７】
そこで、本発明においては、従来のメディアとは異なるコンテンツ配信の概念を導入し、クラウド型の音声配信プラットフォームを提供することを目的とする。
【課題を解決するための手段】
【０００８】
上記の課題及び目的に鑑み、本発明では、複数の表現者によって表現された音声コンテンツの選択を可能とする音声データ処理装置、音声データ配信システム、及び音声データ配信方法を提供する。
【０００９】
本発明の一態様によるデータ処理装置は、コンテンツを取得するコンテンツ取得部、前記コンテンツを表現した音声データを受信する音声データ受信部、及び前記コンテンツに対して、２以上の前記音声データを関連付ける制御部を有することを特徴とする。
【００１０】
また、上記データ処理装置において、２以上の音声データが、異なる表現者によって表現されていることを特徴とする。
また、上記データ処理装置において、ユーザ端末から、音声、コンテンツ及び／又は表現者を特定する選択情報を受信する選択情報受信部、並びに取得した音声データをユーザ端末に送信する配信データ配信部を有することを特徴とする。
【００１１】
また、上記データ処理装置において、コンテンツが文字情報であることを特徴とする。
また、上記データ処理装置において、コンテンツが、時事、学習、文学、コラム及び／又は漫画に関する情報を含むことを特徴とする。
また、上記データ処理装置において、コンテンツが要約されていることを特徴とする。
また、上記データ処理装置において、音声データが、コンテンツの発行から２４時間以内に配信されることを特徴とする。
【００１２】
本発明の一態様によるデータ配信システムは、第１のサーバが、コンテンツを表現した音声データを受信する音声データ受信手段、及び前記コンテンツに対して、２以上の前記音声データを関連付ける関連付け手段を有し、第２のサーバが、前記２以上の音声データから少なくとも１の音声データを配信する配信データ配信手段を有することを特徴とする。
【００１３】
また、上記データ配信システムにおいて、２以上の音声データが、異なる表現者によって表現されていることを特徴とする。
また、上記データ配信システムにおいて、第１のサーバが、記憶装置からコンテンツを取得するコンテンツ取得手段、及び／又はコンテンツの要約を作成するダイジェスト作成手段を有することを特徴とする。
【００１４】
また、上記データ配信システムにおいて、異なる表現者よって表現された２以上の音声データを記憶する記憶装置を含むことを特徴とする。
また、上記データ配信システムにおいて、音声データ及び／又はコンテンツを管理する管理装置を含むことを特徴とする。
また、上記データ配信システムにおいて、コンテンツを自動的に取得するコンテンツ取得装置を含むことを特徴とする。
【００１５】
本発明の一態様によるデータ配信方法は、コンテンツを取得するコンテンツ取得工程、取得したコンテンツに対して、２以上の音声データを関連付ける関連付け工程、及び前記２以上の音声データから少なくとも１の音声データを配信する配信データ配信工程を含むことを特徴とする。
【００１６】
また、上記データ配信方法において、２以上の音声データが、異なる表現者によって表現されていることを特徴とする。
また、上記データ配信方法において、コンテンツの要約を作成するダイジェスト作成工程を含むことを特徴とする。
また、上記データ配信方法において、コンテンツが、時事、学習、文学、コラム及び／又は漫画に関する情報を含むことを特徴とする。
また、上記データ配信方法において、音声データが、文字情報の発行から２４時間以内に配信されることを特徴とする。
【発明の効果】
【００１７】
本発明によれば、同一のコンテンツについて、複数の異なる表現者によって表現された音声データを配信することで、従来のメディアコンテンツに付加価値を提供し、より効果的なコンテンツ配信を可能とする。
【図面の簡単な説明】
【００１８】
【図１Ａ】従来のメディアコンテンツの発信とそれを受信する受信者を示す図であり、テレビやラジオ等のメディア（発信者）と、それを受信する視聴者等（受信者）を示す。なお、破線は、同じコンテンツを視聴する集団を示す。
【図１Ｂ】従来のメディアコンテンツの発信とそれを受信する受信者を示す図であり、ソーシャルメディアにおけるコンテンツ提供者（発信者）と、それを受信する視聴者等（受信者）を示す。
【図２】本発明のメディアコンテンツの発信とそれを受信する受信者を概念的に示した図である。
【図３】本発明のデータ処理装置の一態様において、表現者端末とのデータのやり取りを示したブロック図である。
【図４】本発明のデータ処理装置の一態様において、特定のコンテンツ（文字情報）に対して、表現者の音声データを登録処理する方法の一例を示すフロー図である。
【図５】本発明のデータ処理装置の一態様において、表現者がコンテンツを要約し、ダイジェストを作成する方法の一例を示すフロー図である。
【図６】本発明のデータ処理装置の一態様において、管理者がコンテンツを要約し、ダイジェストを作成する方法の一例を示すフロー図である。
【図７】本発明のデータ処理装置の一態様において、ユーザ端末とのデータのやり取りを示したブロック図である。
【図８】本発明のデータ処理装置の一態様において、ユーザ端末からの要求によって、配信データがユーザ端末に配信されるまでの工程の一例を示したフロー図である。
【図９】本発明の音声データ配信システムの一態様を示したブロック図である。
【発明を実施するための形態】
【００１９】
本発明の実施形態について、以下に図を参照しながら説明する。
図２は、本発明のメディアコンテンツ配信の概念図である。本発明の一態様において、特定のコンテンツについて、多数の表現者がそれぞれコンテンツを表現し、ユーザ（受信者）は、自ら好みの表現者を選択することができる。
【００２０】
図３は、本発明のデータ処理装置の一態様を示す図である。同図では、コンテンツと表現者との間の関係を示しており、主にデータ処理装置１０、表現者端末２０、記憶装置３０から構成されている。データ処理装置１０、表現者端末２０、及び記憶装置３０は、それぞれ有線若しくは無線の通信線を介して、又はインターネット若しくはイントラネット等の通信ネットワークを介して、接続されている。データ処理装置１０、表現者端末２０、及び記憶装置３０は、いずれもコンピュータを含み、例えばデータ処理装置１０はサーバ管理用のコンピュータ、記憶装置３０はサーバのデータベース、表現者端末はパーソナルコンピュータ又は携帯電話、スマートフォン、タブレット端末のような携帯端末である。
【００２１】
データ処理装置１０は、データ処理装置１０全体を制御する制御部１１を有する。制御部１１の機能は、例えば、ＣＰＵが各種プログラム等を実行することによって実現される。
また、制御部１１は、コンテンツ取得手段、コンテンツ送信手段、音声データ受信手段、音声データ登録手段、関連付け手段、ダイジェスト作成手段、選択情報受信手段、配信データ取得手段、配信データ配信手段等を制御する。
【００２２】
データ処理装置１０は、コンテンツを取得するコンテンツ取得部１２を有する。コンテンツ取得部１２は、表現者端末２０からの要求に応じて、コンテンツをコンテンツデータベース（コンテンツＤＢ）３１のような記録装置から取得する（コンテンツ取得手段）。
【００２３】
「コンテンツ」とは、人間がその内容を認識することができる文字、映像、画像等の情報を意味し、これらを出力するためのデジタルデータ及びコンテンツのメタデータを含む。
【００２４】
本発明の一態様において、コンテンツは文字情報であり、新聞や雑誌等の出版物、刊行物、小説、文芸誌、漫画、学習書等であってもよい。したがって、コンテンツには、時事、学習、文学、コラム及び／又は漫画に関する情報を含めることができる。
また、コンテンツは、表現者以外の者又は出版社によって発行された刊行物等とすることができる。
【００２５】
コンテンツ取得部１２により取得したコンテンツは、コンテンツ送信部１３から表現者端末２０に送信される（コンテンツ送信手段）。表現者は、表現者端末２０を用いて取得したコンテンツについて、その内容を音声で表現し、音声データとして録音する。
表現者は、コンテンツを自ら選択することができるが、管理者やコンテンツ提供者が、コンテンツ毎に１以上の表現者を指定してもよい。また、クラウドソーシングのようなシステムを利用して、コンテンツを表現する表現者を募集することもできる。
【００２６】
「表現者」とは、ユーザの端末に配信されるコンテンツを表現する者又はパフォーマーをいい、特に音声によってコンテンツを表現する者をいう。
「表現」とは、コンテンツの内容を基本的に維持したまま、表現者の内面的・精神的・主体的なものを外面的・感性的形象として表すことに限られず、表現者を介することにより、元のコンテンツに一定の変化を生じさせることを含む。
【００２７】
本発明の一態様において、表現は、表現者がコンテンツを読み上げることや、音声によってユーザ等にその内容を伝えることを指す。
音声による表現は、典型的には朗読を指すが、歌のように音程や抑揚等をつけてもよく、また、リズムや音楽等を交えてもよい。また、表現されたコンテンツは、元のコンテンツを翻訳又は翻案したものであってもよく、意訳や省略等の一定の範囲で変形されたものであってもよい。
【００２８】
表現者は、表現したコンテンツを音声データとして録音する。録音は表現者端末２０が録音機能を有していてもよいし、他の録音機器により録音した音声データを表現者端末２０に転送してもよい。
【００２９】
録音した音声のデータは、表現者端末２０から送信され、データ処理装置１０は、音声データ受信部１４において音声データを受信する（音声データ受信手段）。受信した音声データは、制御部１１を介して音声データ送信部１５から音声データデータベース（音声データＤＢ）３２のような記録装置に送信され、登録処理される（音声データ登録手段）。また、この登録処理によって、特定のコンテンツに対して、特定の表現者の音声データを関連付けることができる。
【００３０】
「音声データ」とは、録音した音声のデータを指す。典型的には、人間の音声であるが、ボイスチェンジャー等で加工した音声に加え、ロボット等の機械による音声及び合成音声も含まれる。
本発明の一態様において、音声データは、人間の音声であり、機械による音声及び合成音声は除かれる。
【００３１】
特定のコンテンツ（文字情報）に対して、特定の表現者の音声データを登録処理する工程の一例について、図４を用いて説明する。
【００３２】
まず、表現者端末２０は、表現者の認証情報をデータ処理装置１０へ送信する（Ｓ１０１）。そして、データ処理装置１０において、受信した認証情報が処理され、認証結果が表現者端末２０に送信される（Ｓ１０２）。
次に、表現者端末２０は、データ処理装置１０に対して、コンテンツの見出し一覧を要求し（Ｓ１０３）、データ処理装置１０は、見出しデータや見出し画像とともに、見出し一覧を表現者端末２０に送信する（Ｓ１０４）。
【００３３】
送信された見出し一覧は、表現者端末２０において表示され（Ｓ１０５）、表現者によってコンテンツの見出しが選択される（Ｓ１０６）。そして、表現者端末２０は、データ処理装置１０に対して、選択されたコンテンツの本文を要求する（Ｓ１０７）。
データ処理装置１０から、本文データが表現者端末２０に送信され（Ｓ１０８）、表現者端末２０において本文が表示される（Ｓ１０９）。
【００３４】
表現者は、表示された本文について、音声でその内容を表現し、録音する（Ｓ１１０）。録音した音声のデータは、データ処理装置１０に送信され（Ｓ１１１）、登録処理される（Ｓ１１２）。
【００３５】
本発明の一態様において、データ処理装置１０は、１のコンテンツに対して、２以上の音声データ又は表現者を関連付けることができる（関連付け手段）。
【００３６】
関連付け手段は、同一又は実質的に同一のコンテンツに対して、２以上の表現者の音声データを関連付けることによって達成されるが、異なる表現者の音声データだけではなく、同一の表現者の音声データを複数関連付けてもよい。
また、関連付けられるコンテンツの同一性は、客観的に同一である必要はなく、ユーザが同一のコンテンツであることを主観的に認識できればよい。
【００３７】
関連付け手段は、例えば、複数の表現者に対して、上述の音声データ登録処理（Ｓ１０１〜Ｓ１１２）を繰り返すことによって達成されるが、この方法に限定されるものではない。また、関連付けは、表現者の音声データが、コンテンツを表現したものであることをユーザが認識できる程度の関連性が認められればよく、様々な関連付け手段を採用することできる。
【００３８】
データ処理装置１０は、１のコンテンツに対して、例えば、２、３、４、５、６、７、８、９、１０、２０、３０、４０、５０、６０又はそれらの数以上の表現者を関連付けることができる。
【００３９】
本発明の一態様において、音声データは、コンテンツのすべての情報を表現したものではなく、コンテンツのダイジェストとすることができる。「ダイジェスト」とは、コンテンツを要約したものをいう。
【００４０】
これにより、ユーザは、短時間であっても効率よく、音声で情報を収集することができる。また、表現者によるコンテンツの表現に加えて、ダイジェストの編集内容に応じて、コンテンツ自体にも創作性を付与することができるため、より表現力の高いコンテンツの配信が可能となる。
【００４１】
ダイジェストの音声データを作成する手段（ダイジェスト作成手段）は、例えば、表現者自らがコンテンツを要約し、ダイジェストを作成する方法や、管理者によってコンテンツ自体を要約し、表現者は要約したコンテンツについて表現する方法によって達成される。
【００４２】
表現者自らがコンテンツを要約し、ダイジェストを作成する工程の一例について、図５を用いて説明する。
【００４３】
まず、データ処理装置１０において、コンテンツ（文字情報）の登録処理が行われる（Ｓ２０１）。
次に、表現者端末２０は、データ処理装置１０に対して、コンテンツの本文を要求し（Ｓ２０２）、データ処理装置１０は、本文全文のデータを表現者端末２０に送信する（Ｓ２０３）。
【００４４】
送信された本文全文のデータは、表現者端末２０において表示される（Ｓ２０４）。そして、表現者は、表示された本文全文に基づき、ダイジェストを作成する（Ｓ２０５）。
【００４５】
表現者は、作成したダイジェストについて、音声でその内容を表現し、録音する（Ｓ２０６）。録音した音声のデータは、データ処理装置１０に送信され（Ｓ２０７）、登録処理される（Ｓ２０８）。
【００４６】
管理者がコンテンツを要約する場合のダイジェスト作成工程の一例について、図６を用いて説明する。なお、図示しないが、データ処理装置１０には管理者が用いるコンピュータである管理者端末４０が、通信線又は通信ネットワークを介して接続されているものとする。
【００４７】
まず、データ処理装置１０において、コンテンツ（文字情報）の登録処理が行われる（Ｓ３０１）。
次に、管理者端末４０は、データ処理装置１０に対して、コンテンツの本文を要求し（Ｓ３０２）、データ処理装置１０は、本文全文のデータを管理者端末４０に送信する（Ｓ３０３）。
【００４８】
送信された本文全文のデータは、管理者端末４０において表示され（Ｓ３０４）、管理者は、表示された本文全文に基づき、ダイジェストを作成する（Ｓ３０５）。
そして、管理者端末４０は、ダイジェストのデータをデータ処理装置１０に送信し、データ処理装置１０にて更新処理がされる（Ｓ３０７）。
【００４９】
表現者端末２０は、データ処理装置１０に対し、ダイジェストを要求し（Ｓ３０８）、データ処理装置１０は、ダイジェストデータを表現者端末２０に送信する（Ｓ３０９）。
送信されたダイジェストデータは、表現者端末２０において表示され（Ｓ３１０）、表現者は、表示されたダイジェストについて、音声でその内容を表現し、録音する（Ｓ３１１）。録音した音声のデータは、データ処理装置１０に送信され（Ｓ３１２）、登録処理される（Ｓ３１３）。
【００５０】
次に、登録処理されたコンテンツの音声データとユーザとの関係を説明する。本発明の一態様において、データ処理装置１０は、図７に示すように、ユーザ端末５０からの選択情報を受信する選択情報受信部１６を有する。データ処理装置１０はユーザが用いるコンピュータであるユーザ端末４０と通信線又は通信ネットワークを介して接続されている。
【００５１】
選択情報受信部１６は、ユーザ端末５０から送信された選択情報を受信し（選択情報受信手段）、配信データ取得部１７は、受信した選択情報に基づき、記憶装置３０から音声データ等の配信データを取得する（配信データ取得手段）。
【００５２】
取得した配信データは、配信データ送信部１８からユーザ端末５０へ送信される。
「配信データ」には、配信される音声データのほか、テキストデータ等のコンテンツ情報や表現者情報が含まれてもよい。
【００５３】
「ユーザ」とは、スマートフォン、タブレット端末、パーソナルコンピュータ等のユーザ端末を用いて、コンテンツや音声データ等を受信する者をいう。
「選択情報」とは、ユーザが要求する音声、コンテンツ及び／又は表現者等を特定する情報をいうが、ユーザ自らによって選択された情報のみならず、自動的に選択された情報も含む。
【００５４】
「表現者情報」とは、表現者に関する情報をいい、表現者の名前、ニックネーム、ＩＤ等の表現者を特定する情報のほか、表現者のプロフィール、ユーザからの評価、表現者が表現するコンテンツ情報等の情報が含まれる。
また、表現者情報は、コンテンツに合わせて選択又は制限することができる。例えば、コンテンツ提供者や管理者が、コンテンツにふさわしいと思われる１又は２以上の表現者を選択することができる。
【００５５】
本発明の一態様において、データ処理装置１０は、ユーザによって直接的に選択されることなく、配信データを取得し、ユーザ端末５０に配信することができる。例えば、ユーザ端末５０に配信される配信データは、ユーザ端末５０のアプリケーション、データ処理装置１０、コンテンツを管理する管理者等によって選択されてもよい。
【００５６】
本発明の一態様において、ユーザ端末５０に配信される配信データは、ユーザ端末５０のアプリケーション、データ処理装置１０、コンテンツを管理する管理者等によって予め選択され、ユーザが利用する際に自動的に選択されるように設定することができる。
【００５７】
配信データの選択手段としては、例えば、ユーザによる評価や選択、管理者による評価や割り当て、コンテンツ提供者による評価や割り当て、ユーザとのマッチング処理、コンテンツの種類による分類等に基づいて行うことができる。ユーザによる評価については、例えば、表現者やコンテンツに対する、投票数、点数、お気に入りへの追加数、音声データの再生回数、選択された回数等の評価情報に基づいて判断される。また、管理者やコンテンツ提供者からの評価については、例えば、一定の基準によって定められたランキングや、メディア等の評価によって判断される。
【００５８】
ユーザとのマッチング処理は、例えば、表現者やコンテンツに対する、投票数、点数、お気に入りへの追加数、音声データの再生回数、選択された回数等の評価情報のほか、年齢、性別、住所等のユーザ情報、声の特徴（声の高低、太さ等）、読み方の特徴（抑揚、スピード等）等の表現者の特徴や表現者情報、コンテンツの種類やジャンル、等に基づいて処理される。
また、コンテンツの種類等に応じて、チャンネルを作成し、ユーザはチャンネルを選択することによって、特定の配信データを取得することもできる。
【００５９】
また、本発明の一態様において、配信データ又は音声データは、文字情報の発行から、１時間以内、６時間以内、１２時間以内、２４時間以内、又は４８時間以内に配信される。
【００６０】
本発明の一態様において、データ処理装置１０は、ユーザ端末５０へ配信データを配信する（配信データ配信手段）。ユーザ端末５０からの要求によって、配信データがユーザ端末に配信されるまでの工程の一例について、図８を用いて説明する。
【００６１】
まず、ユーザ端末５０は、データ処理装置１０に対して、コンテンツ情報及び表現者情報を要求する（Ｓ４０１）。そして、データ処理装置１０において、予め特定の表現者を選択する処理（初期表現者選択処理）が行われ、コンテンツ情報及び表現者情報がユーザ端末５０に送信される（Ｓ４０２）。
【００６２】
情報を受信したユーザは、聴取する音声データの表現者を自ら選択するか、初期表現者選択処理によって自動的に割り当てられた表現者を選択することができる（Ｓ４０４）。
ユーザ自らが表現者を選択するとした場合、ユーザは、送信されたコンテンツ情報及び表現者情報から特定の表現者を選択する（Ｓ４０５）。
一方で、ユーザが自ら表現者を選択しないとした場合、表現者はＳ４０２の初期表現者選択処理に基づいて、自動的に割り当てられる（Ｓ４０６）。
【００６３】
そして、ユーザ端末５０は、データ処理装置１０に対して、音声データを要求し（Ｓ４０７）、データ処理装置１０は音声データをユーザ端末５０へ送信する（Ｓ４０８）。
送信された音声データは、ユーザ端末５０で処理され、音声出力される（Ｓ４０９）。
【００６４】
本発明において、制御部１１、コンテンツ取得部１２、コンテンツ送信部１３、音声データ受信部１４、音声データ送信部１５、選択情報受信部１６、配信データ取得部１７、及び配信データ配信部１８は、すべて物理的に一体の装置内にあっても、一部が物理的に離れた場所にあってもよい。例えば、図３の構成の装置（データ処理装置１０）を録音サーバとし、図７の構成の装置（データ処理装置１０）を配信サーバとして、物理的に別々のサーバとすることができる。
【００６５】
また、記憶装置３０は、物理的又は論理的に複数のデータベースに分割したものでも、各データベースを１つの記憶装置としたものでもよい。
「記憶装置」とは、情報を記憶する装置であり、例えば、ハードディスクドライブ（ＨＤＤ）、ソリッドステートドライブ（ＳＳＤ）、コンパクトディスク、フロッピドライブ、テープドライブ、フラッシュドライブ、光学式ドライブ、リードオンリーメモリー（ＲＯＭ）、ランダムアクセスメモリー（ＲＡＭ）等を用いて実行でき、また、クラウドコンピューティングのようにインターネットを介して記憶装置内のデータを利用することができる。
【００６６】
本発明の一側面として、音声データ配信システムが挙げられる。本発明の音声データ配信システムの一態様では、上述のデータ処理装置を利用して、表現者端末から音声データを受信し、また、ユーザ端末に配信データを配信する。また、管理装置（管理サーバ等）やコンテンツ取得装置（バッチサーバ等）を用いてもよい。
【００６７】
表現者は、コンテンツを自ら選択することができるが、管理者やコンテンツ提供者が、コンテンツ毎に１以上の表現者を指定してもよい。また、クラウドソーシングのようなシステムを利用して、コンテンツを表現する表現者を募集することもできる。
【００６８】
本発明の音声データ配信システムの一態様について、図９を用いて説明する。
音声データ配信システム１００において、ストレージ１０１（記憶装置）は、録音サーバ１０２と通信ネットワークを介して接続される。また、録音サーバ１０２は、表現者端末１０３と通信ネットワークを介して接続され、表現者端末１０３からの音声データをストレージ１０１に記憶させる。
【００６９】
また、ストレージ１０１は、配信サーバ１０４と通信ネットワークを介して接続される。配信サーバ１０４は、ユーザ端末１０５と通信ネットワークを介して接続され、ユーザ端末１０５からの要求に応じて、配信データ（音声データ）をストレージ１０１から取得し、送信する。
【００７０】
さらに、ストレージ１０１は、管理サーバ１０６と通信ネットワークを介して接続される。また、管理サーバ１０６は、管理者端末１０７と通信ネットワークを介して接続され、管理者は、配信データ、音声データ、コンテンツ、コンテンツ情報、表現者情報、ユーザ情報等の管理を行う。
【００７１】
また、ストレージ１０１は、バッチサーバ１０８と通信ネットワークを介して接続される。バッチサーバ１０８は、メディアサーバ１０９と通信ネットワークを介して接続され、コンテンツをメディアサーバから要求に応じて、又は自動的に取得することができる。
なお、サーや装置の組み合わせは、図９に限定されるものではなく、それぞれを適宜組み合わせることができる。
【００７２】
本発明の一側面として、音声データ配信方法が挙げられる。本発明の音声データ配信方法の一態様では、上述のデータ処理装置を利用して、表現者端末から音声データを受信し、また、ユーザ端末に配信データを配信する。また、管理装置（管理サーバ等）やコンテンツ取得装置（バッチサーバ等）を用いてもよい。
【００７３】
本発明の音声データ配信方法は、例えば、以下の工程で行われる。
まず、コンテンツを取得するコンテンツ取得工程において、記憶装置等からコンテンツが取得される。コンテンツ取得工程では、例えば、表現者端末２０からの要求に応じて、コンテンツをコンテンツＤＢ３１のような記録装置から取得する。
【００７４】
次に、音声データ録音工程において、表現者は、取得したコンテンツについて、その内容を音声で表現し、音声データとして録音する。
そして、音声データ登録工程において、録音した音声のデータは、例えば、表現者端末２０からデータ処理装置１０に送信され、さらに音声データＤＢ３２のような記録装置に送信されて登録処理される。
【００７５】
そして、関連付け工程において、１のコンテンツに対して、２以上の音声データが関連付けられる。関連付け工程は、例えば、上述の登録処理を繰り返すことによって、特定のコンテンツに対して、特定の表現者の音声データを関連付けることができる。
【００７６】
関連付け工程は、同一又は実質的に同一のコンテンツに対して、２以上の表現者の音声データを関連付けるが、異なる表現者の音声データだけではなく、同一の表現者の音声データを複数関連付けてもよい。
また、関連付けられるコンテンツの同一性は、客観的に同一である必要はなく、ユーザが同一のコンテンツであることを主観的に認識できればよい。
【００７７】
また、関連付けは、表現者の音声データが、コンテンツを表現したものであることをユーザが認識できる程度の関連性が認められればよく、様々な関連付け手段を採用することできる。
【００７８】
本発明の一態様において、音声データ配信方法は、ダイジェストの音声データを作成する工程を有する。ダイジェスト作成工程は、例えば、図５に示すように、表現者自らがコンテンツを要約し、ダイジェストを作成する方法や、図６に示すように、管理者によってコンテンツ自体を要約し、表現者は要約したコンテンツについて表現する方法によって達成される。
【００７９】
そして、配信データ配信工程おいて、関連付けられた２以上の音声データから少なくとも１の音声データが配信される。配信データ配信工程は、例えば、データ処理装置１０の選択情報受信部１６で受信した選択情報に基づき、配信データ取得部１７が記憶装置３０から音声データ等の配信データを取得し、配信データ送信部１８からユーザ端末５０へ送信される。
【００８０】
本発明の一態様において、配信データ配信工程はユーザによって直接的に選択されることなく、ユーザ端末５０に配信することができる。例えば、ユーザ端末５０に配信される配信データは、ユーザ端末５０のアプリケーション、データ処理装置１０、コンテンツを管理する管理者等によって選択されてもよい。
【００８１】
本発明の一態様において、ユーザ端末５０に配信される配信データは、ユーザ端末５０のアプリケーション、データ処理装置１０、コンテンツを管理する管理者等によって予め選択され、ユーザが利用する際に自動的に選択されるように設定することができる。
【００８２】
配信データの選択手段としては、例えば、ユーザによる評価や選択、管理者による評価や割り当て、コンテンツ提供者による評価や割り当て、ユーザとのマッチング処理、コンテンツの種類による分類等に基づいて行うことができる。ユーザによる評価については、例えば、表現者やコンテンツに対する、投票数、点数、お気に入りへの追加数、音声データの再生回数、選択された回数等の評価情報に基づいて判断される。また、管理者やコンテンツ提供者からの評価については、例えば、一定の基準によって定められたランキングや、メディア等の評価によって判断される。
【００８３】
ユーザとのマッチング処理は、例えば、表現者やコンテンツに対する、投票数、点数、お気に入りへの追加数、音声データの再生回数、選択された回数等の評価情報のほか、年齢、性別、住所等のユーザ情報、声の特徴（声の高低、太さ等）、読み方の特徴（抑揚、スピード等）等の表現者の特徴や表現者情報、コンテンツの種類やジャンル、等に基づいて処理される。
また、コンテンツの種類等に応じて、チャンネルを作成し、ユーザはチャンネルを選択することによって、特定の配信データを取得することもできる。
【００８４】
また、本発明の一態様において、配信データ又は音声データは、文字情報の発行から、１時間以内、６時間以内、１２時間以内、２４時間以内、又は４８時間以内に配信される。
【００８５】
以上、本発明の実施形態について説明したが、本発明は上記実施形態に限定されるものではなく、本発明の要旨を逸脱しない範囲において、多様な実施形態とすることができる。
【符号の説明】
【００８６】
１０  データ処理装置
１１  制御部
１２  コンテンツ取得部
１３  コンテンツ送信部
１４  音声データ受信部
１５  音声データ送信部
１６  選択情報受信部
１７  配信データ取得部
１８  配信データ配信部
２０  表現者端末
３０  記憶装置
４０  管理者端末
５０  ユーザ端末
１００  音声データ配信システム
１０１  ストレージ（記憶装置）
１０２  録音サーバ（データ処理装置）
１０３  表現者端末
１０４  配信サーバ（データ処理装置）
１０５  ユーザ端末
１０６  管理サーバ（管理装置）
１０７  管理者端末
１０８  バッチサーバ（コンテンツ取得装置）
１０９  メディアサーバ
【図１Ａ】
0006717474.tif 000002
【図１Ｂ】
0006717474.tif 000003
【図２】
0006717474.tif 000004
【図３】
0006717474.tif 000005
【図４】
0006717474.tif 000006
【図５】
0006717474.tif 000007
【図６】
0006717474.tif 000008
【図７】
0006717474.tif 000009
【図８】
0006717474.tif 000010
【図９】
0006717474.tif 000011